(57)【特許請求の範囲】
【請求項１】
移動体に搭載して使用される移動体用放送受信装置であって、
受信地域ごとの放送周波数帯域で妨害波となり得る周波数帯域の信号を除去する複数のフィルタ、前記フィルタを通過した受信信号から選局周波数の信号を抽出するチューナ部および前記複数のフィルタのいずれかを受信信号の伝送経路上に切り替える切り替え部を有して構成される受信系統と、
前記受信信号を復調して再生した放送データに含まれる放送局が存在する地域に関する付加データに基づいて、前記受信系統が放送を受信している受信地域を判別する受信地域判別処理部と、
前記切り替え部を制御して、前記受信地域判別処理部が判別した受信地域の放送周波数帯域で妨害波となり得る信号を除去するフィルタに切り替えるフィルタ切り替え処理部とを備え、
前記付加データは、前記放送データに含まれるＰＳＩ（Ｐｒｏｇｒａｍ  Ｓｐｅｃｉｆｉｃ  Ｉｎｆｏｒｍａｔｉｏｎ）およびＳＩ（Ｓｅｒｖｉｃｅ  Ｉｎｆｏｒｍａｔｉｏｎ）であり、
前記受信地域判別処理部は、所定の地域の放送周波数帯域で妨害波となり得る周波数帯域の周波数を前記受信系統が選局しており、この周波数帯域に対応するフィルタが選択されている場合において、前記受信系統の受信電力が所定の閾値以上であって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレームロックがない、または、前記放送データからＳＩおよびＰＳＩが取得できなければ、当該周波数帯域に対応する前記所定の地域を受信地域として判別することを特徴とする移動体用放送受信装置。
【請求項２】
前記受信系統を複数有し、
前記複数の受信系統のうち、少なくとも１つの受信系統で受信地域の判別を行うための受信処理を行い、残りの受信系統で放送コンテンツを再生するための受信処理を行うことを特徴とする請求項１記載の移動体用放送受信装置。
【請求項３】
前記フィルタ切り替え処理部は、前記受信系統による受信状態の悪化が検出された場合または前記放送データにエラーが検出された場合に、前記切り替え部を制御してフィルタの切り替えを行うことを特徴とする請求項１記載の移動体用放送受信装置。
【請求項４】
前記受信地域判別処理部は、前記付加データに加えて、位置情報取得部が取得した前記移動体の位置情報および撮像部が撮影した前記移動体の周辺画像を解析した結果のうちの少なくとも一方に基づいて、前記受信系統が放送を受信している受信地域を判別することを特徴とする請求項１記載の移動体用放送受信装置。
【請求項５】
前記受信地域判別処理部は、外部インタフェースで受け付けたユーザ操作で指定された地域を受信地域として判別することを特徴とする請求項１記載の移動体用放送受信装置。
【発明の詳細な説明】
【技術分野】
【０００１】
この発明は、移動体に搭載して使用される移動体用放送受信装置に関する。
【背景技術】
【０００２】
例えば、特許文献１には、過去にデジタル放送の受信または無線通信を行った際に取得されたチャンネル番号および通信方式といった送信情報を送信情報記憶部に記憶する受信装置が開示されている。この受信装置では、ユーザ操作などに応じてデジタル放送の受信または無線通信を開始する際に選択された放送または通信方式を、送信情報記憶部の記憶内容と照合し、この照合結果に基づいて最適な同調回路を選択している。
【先行技術文献】
【特許文献】
【０００３】
【特許文献１】実用新案登録第３１２６８０２号公報
【発明の概要】
【発明が解決しようとする課題】
【０００４】
特許文献１に代表される従来の技術では、ユーザ操作などに応じて通信を開始する際にあらかじめ記憶されている記憶データと照合を行う必要があるため、受信地域が変化した場合、変化後の受信地域で記憶データも更新しなければならない。
すなわち、移動体用放送受信装置のように、移動体の移動に伴って受信地域が変化する場合には、全てのチャンネルを再度受信する必要があり、リアルタイムに同調回路を選択することができない。【０００５】
従って、特許文献１では、受信地域によって放送周波数帯域で妨害波となり得る特定の周波数帯域の信号がある場合、記憶データに基づきある地域で妨害波を除去するフィルタを設定しても、受信装置が別の地域に移動すると、上記記憶データに基づいて設定されるフィルタでは、妨害波が除去できなかったり、所望のデジタル放送の受信が阻害される可能性がある。【０００６】
この発明は、上記のような課題を解決するためになされたもので、放送の受信を阻害せずに、受信地域の放送周波数帯域で妨害波となり得る周波数帯域の信号を適切に除去することができる移動体用放送受信装置を得ることを目的とする。
【課題を解決するための手段】
【０００７】
この発明に係る移動体用放送受信装置は、移動体に搭載して使用される移動体用放送受信装置であって、受信地域ごとの放送周波数帯域で妨害波となり得る周波数帯域の信号を除去する複数のフィルタ、フィルタを通過した受信信号から選局周波数の信号を抽出するチューナ部および複数のフィルタのいずれかを受信信号の伝送経路上に切り替える切り替え部を有して構成される受信系統と、受信信号を復調して再生した放送データに含まれる放送局が存在する地域に関する付加データに基づいて、受信系統が放送を受信している受信地域を判別する受信地域判別処理部と、切り替え部を制御して、受信地域判別処理部が判別した受信地域の放送周波数帯域で妨害波となり得る信号を除去するフィルタに切り替えるフィルタ切り替え処理部とを備え、付加データは、放送データに含まれるＰＳＩ（Ｐｒｏｇｒａｍ  Ｓｐｅｃｉｆｉｃ  Ｉｎｆｏｒｍａｔｉｏｎ）およびＳＩ（Ｓｅｒｖｉｃｅ  Ｉｎｆｏｒｍａｔｉｏｎ）であり、受信地域判別処理部は、所定の地域の放送周波数帯域で妨害波となり得る周波数帯域の周波数を受信系統が選局しており、この周波数帯域に対応するフィルタが選択されている場合において、受信系統の受信電力が所定の閾値以上であって、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレームロックがない、または、放送データからＳＩおよびＰＳＩが取得できなければ、当該周波数帯域に対応する所定の地域を受信地域として判別することを特徴とする。
【発明の効果】
【０００８】
この発明によれば、放送の受信を阻害せずに、受信地域の放送周波数帯域で妨害波となり得る周波数帯域の信号を適切に除去することができるという効果がある。
【図面の簡単な説明】
【０００９】
【図１】この発明の実施の形態１に係る移動体用放送受信装置の構成を示すブロック図である。
【図２】実施の形態１に係る移動体用放送受信装置におけるフィルタの周波数特性の一例を示す図である。
【図３】実施の形態１に係る移動体用放送受信装置の動作（その１）を示すフローチャートである。
【図４】実施の形態１に係る移動体用放送受信装置の動作（その２）を示すフローチャートである。
【図５】受信地域の判別処理を示すフローチャートである。
【発明を実施するための形態】
【００１０】
以下、この発明をより詳細に説明するため、この発明を実施するための形態について、添付の図面に従って説明する。
実施の形態１．
図１は、この発明の実施の形態１に係る移動体用放送受信装置の構成を示すブロック図である。図１に示す移動体用放送受信装置は、移動体（例えば、車両など）に搭載され、デジタル放送を受信する放送受信装置であり、２つの受信系統１，２、復調部５、ＡＶデコーダ６およびマイクロコンピュータ（以下、マイコンと略す）７を備えて構成される。なお、図１では受信系統が２つである場合を示したが、１つまたは複数の受信系統を備えていればよい。
【００１１】
受信系統１は、アンテナ１ａ、スイッチ部２ａ，３ａ、フィルタＡ１，Ｂ１およびチューナ部４ａを備えて構成され、受信系統２は、アンテナ１ｂ、スイッチ部２ｂ，３ｂ、フィルタＡ２，Ｂ２およびチューナ部４ｂを備えて構成される。
例えば、受信系統１において、アンテナ１ａで受信されたＲＦ信号（高周波受信信号）は、スイッチ部２ａによってフィルタＡ１，Ｂ１のいずれかに出力される。
フィルタＡ１，Ｂ１は、互いに異なる周波数特性を有しており、受信地域ごとの放送周波数帯域で妨害波となり得る周波数帯域の信号を除去する。その詳細は図２を用いて後述する。フィルタＡ１，Ｂ１のいずれかを通過した受信信号は、スイッチ部３ａによって、チューナ部４ａに出力される。
チューナ部４ａは、入力した受信信号から選局周波数の信号を抽出し、後段の復調部５の入力仕様を満たすように、周波数変換およびレベル調整を実施する。
受信系統２においても上記と同様である。
【００１２】
復調部５は、チューナ部４ａ，４ｂから出力された信号を復調する。復調部５で復調された信号は、ＡＶデコーダ６に入力される。ＡＶデコーダ６では、入力した信号から映像と音声をデコードする。例えば、デマルチプレクサ部６０ａおよびデコード部６１ａは、受信系統１からの信号を処理し、デマルチプレクサ部６０ｂおよびデコード部６１ｂは、受信系統２からの信号を処理する。なお、デマルチプレクサ部６０ａ，６０ｂは、入力した信号から映像ストリームと音声ストリームを分離する。デコード部６１ａ，６１ｂでは、映像ストリームをデコードして映像データを生成し、音声ストリームをデコードして音声データを生成する。スイッチ部６２は、映像データの出力先を後段の映像処理回路（図１において不図示）に切り替え、音声データの出力先を後段の音声処理回路（図１において不図示）に切り替える。
【００１３】
また、デコード部６１ａ，６１ｂは、デコードした放送データからＳＩ（Ｓｅｒｖｉｃｅ  Ｉｎｆｏｒｍａｔｉｏｎ）およびＰＳＩ（Ｐｒｏｇｒａｍ  Ｓｐｅｃｉｆｉｃ  Ｉｎｆｏｒｍａｔｉｏｎ）といったデジタルデータを取得する。
ＳＩおよびＰＳＩには、字幕などに関する言語コード（例えば、ＩＳＯ＿６３９＿ｌａｎｇｕａｇｅ＿ｃｏｄｅ）、国コード（例えば、ｃｏｕｎｔｒｙ＿ｃｏｄｅ）、地域コード（例えば、ｐｒｉｍａｒｙ＿ｒｅｇｉｏｎ＿ｃｏｄｅ，ｓｅｃｏｎｄａｒｙ＿ｒｅｇｉｏｎ＿ｃｏｄｅ，  ｔｅｒｔｉａｒｙ＿ｒｅｇｉｏｎ＿ｃｏｄｅ）、地域ネットなどに関するネットワークＩＤ（例えば、Ｏｒｉｇｉｎａｌ  Ｎｅｔｗｏｒｋ  ＩＤ）が含まれている。これらのコードから現在受信している放送チャンネルが属する国または地域を判別可能である。
【００１４】
マイコン７は、移動体用放送受信装置の内部構成を制御するマイコンであり、その機能構成として受信地域判別処理部８およびフィルタ切り替え処理部９を備える。
すなわち、受信地域判別処理部８およびフィルタ切り替え処理部９は、この発明に係る移動体用放送受信装置に搭載されたマイコン７が、これらの構成要素の各機能を記述したプログラムを実行することで、ソフトウエアとハードウエアとが協働した処理手段として実現される。
受信地域判別処理部８は、受信信号を復調して再生した放送データに含まれる放送局が存在する地域に関する付加データに基づいて、受信系統１（または２）が放送を受信している受信地域を判別する処理部である。上記判別に用いる付加データは、例えば、上述したＳＩ、ＰＳＩである。
フィルタ切り替え処理部９は、スイッチ部２ａ，３ａ（または２ｂ，３ｂ）を制御して、受信地域判別処理部８が判別した受信地域の放送周波数帯域で妨害波となり得る信号を除去するフィルタに切り替える処理部である。
なお、マイコン７の一部の機能としてＡＶデコーダ６を設けてもよい。
【００１５】
撮像部１０は、移動体（例えば、車両）の周辺画像を撮影する撮像部であり、例えば、車両に標準的に搭載された車載カメラ（フロントカメラ、リアカメラ、サイドカメラ）であってもよい。また、位置情報取得部１１は現在の位置情報を取得する。例えば、ＧＰＳ（Ｇｌｏｂａｌ  Ｐｏｓｉｔｉｏｎｉｎｇ  Ｓｙｓｔｅｍ）衛星から受信したＧＰＳ電波の解析結果から位置情報（緯度経度）を取得する。また、距離センサ、方位センサおよび舵角センサなどを備える自立航法装置を利用して位置情報を取得してもよい。
【００１６】
チューナ部４ａ，４ｂの前段に配置するフィルタＡ（Ａ１，Ａ２），Ｂ（Ｂ１，Ｂ２）は、図２（ａ）に示すように異なる周波数特性を有しており、受信地域ごとの放送周波数帯域で妨害波となり得る特定の周波数帯域の信号（携帯電話などの使用周波数帯域）を減衰させるために設けられる。ここでは、フィルタＡ１，Ａ２が周波数ｆＡで最も減衰する８３２〜８６２ＭＨｚの周波数帯域を減衰させるフィルタであって、フィルタＢ１，Ｂ２が周波数ｆＢで最も減衰する８８０〜８９０ＭＨｚの周波数帯域を減衰させるフィルタであるものとする。
【００１７】
欧州のように、国または地域によって携帯電話およびデジタルＴＶで使用される周波数帯域が異なる場合、複数のフィルタが必要になる。
例えば、図２（ｂ）に示す国Ｘにおいては、デジタルＴＶの使用周波数帯域が４７０〜７９０ＭＨｚであり、携帯電話の使用周波数帯域が８３２〜８６２ＭＨｚ（アップリンク）、７９１〜８２１ＭＨｚ（ダウンリンク）である。
また、国Ｙは、デジタルＴＶの使用周波数帯域が４７０〜８６２ＭＨｚであり、携帯電話の使用周波数帯域が８８０〜８９０ＭＨｚ（アップリンク）、９２５〜９３５ＭＨｚ（ダウンリンク）である。
ここで、国Ｘで８３２〜８６２ＭＨｚを減衰させるフィルタＡ１，Ａ２を選択してから車両が国Ｙに移動した場合には、デジタルＴＶで８３２〜８６２ＭＨｚに配置された放送チャンネルを受信できなくなる。このため、移動体用放送受信装置のように国を跨がって移動する場合、受信地域によってフィルタを切り替える必要がある。
【００１８】
図１のように、移動体用放送受信装置が複数の受信系統を有する場合は、これらのうちの少なくとも１つで受信地域の判別を行うための受信処理を行い、残りの受信系統で放送コンテンツを再生するための受信処理（画音再生）を行う。この場合、受信地域の判別を行う受信系統においては、マイコン７の指示によってチューナ部が選局動作を繰り返し、各チャンネルで受信された付加データ（ＳＩおよびＰＳＩ）に基づいて、受信地域判別処理部８が、常時、現時点の受信地域を判別する。
【００１９】
また、外部機器から得られる情報を用いることで、受信地域の判別を、さらに高精度に行うことが可能となる。例えば、撮像部１０が撮影した車両周辺の画像を解析し、被写体をテキスト判別することで得られる地名や建物名などを用いたり、位置情報取得部１１が取得した車両の現在の緯度経度を参酌すれば、受信地域を高精度に判別できる。
なお、上記付加データ、撮像部１０からの情報および位置情報取得部１１からの情報をそれぞれ組み合わせて受信地域を判別してもよい。例えば、優先順を付与する。
この場合、放送局が存在する地域に関する情報が直接得られる上記付加データの優先順を上位とし、撮像部１０からの情報および位置情報取得部１１からの情報を下位の優先順とする。上記組み合わせで異なる地域が判別されても、この優先順が高い情報で得られた結果を最終的な判別結果とする。
【００２０】
次に動作について説明する。
図３、図４は、実施の形態１に係る移動体用放送受信装置の動作を示すフローチャートである。まず、移動体用放送受信装置が起動した時点では、受信地域の判別が実施されておらず、現在の地域で最適なフィルタは不明である。そこで、フィルタ切り替え処理部９が、受信系統１でフィルタＡ１を選択し、受信系統２でフィルタＢ２を選択する（ステップＳＴ１）。これにより、受信系統１，２の少なくとも一方で受信地域を判別することができる。
【００２１】
次に、マイコン７が、受信系統１，２のチューナ部４ａ，４ｂに同一チャンネルを受信設定する（ステップＳＴ２）。この状態で受信処理を行う（ステップＳＴ３）。
受信処理においては、復調部５による同期処理、および、ＡＶデコーダ６によるＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）の受信といった信号受信処理が実施される。これらの処理結果から受信可能局の有無を判断できる。
【００２２】
選局チャンネルが受信可能局でない場合（ステップＳＴ４；ＮＯ）、マイコン７は、チューナ部４ａ，４ｂの受信チャンネルを変更する（ステップＳＴ５）。この後、ステップＳＴ３の処理に戻る。
選局チャンネルが受信可能局である場合（ステップＳＴ４；ＹＥＳ）、フィルタ切り替え処理部９が、復調部５から受信系統１，２の受信状態を示す情報を取得し、受信地域判別処理部８が、ＡＶデコーダ６から付加データ（ＳＩおよびＰＳＩ）とを取得する（ステップＳＴ６）。なお、受信状態を示す情報には、ＢＥＲ（Ｂｉｔ  Ｅｒｒｏｒ  Ｒａｔｅ）、ＰＥＲ（Ｐａｃｋｅｔ  Ｅｒｒｏｒ  Ｒａｔｅ）、ＣＮ（Ｃａｒｒｉｅｒ  ｔｏ  Ｎｏｉｓｅ  ｒａｔｉｏ）、受信電力などがある。
また、受信可能局が見つかった場合、受信系統１，２の一方で受信地域の判別のための受信処理を行い、もう一方で画音再生のための受信処理を行う。以降では、受信系統１を受信地域判別側の受信系統と呼び、受信系統２を画音再生側の受信系統と呼ぶ。
【００２３】
受信地域判別処理部８は、ＡＶデコーダ６から取得した付加データであるＳＩおよびＰＳＩのうちから、言語コード、国コード、地域コードおよびネットワークＩＤを取得する（ステップＳＴ７）。
続いて、受信地域判別処理部８は、言語コード、国コード、地域コード、ネットワークＩＤに基づいて、放送局が存在する国および地域を特定して現在の受信地域を判別する（ステップＳＴ８）。判別結果の受信地域を示す情報は、受信地域判別処理部８からフィルタ切り替え処理部９に送られる。
フィルタ切り替え処理部９は、現在の選局チャンネルで、受信地域判別処理部８が判別した受信地域を示す情報と、現在の受信状態を示す情報とを対応付けて記憶する（ステップＳＴ９）。
【００２４】
次に、受信地域判別処理部８は、全てのチャンネルで受信地域の判別が終了したか否かを判定する（ステップＳＴ１０）。未処理のチャンネルがある場合（ステップＳＴ１０；ＮＯ）、ステップＳＴ５に戻り、マイコン７が、未処理のチャンネルに受信チャンネルをチューナ部４ａに設定し、ステップＳＴ３からの処理を繰り返す。
一方、全てのチャンネルで受信地域の判別が終了した場合（ステップＳＴ１０；ＹＥＳ）、受信地域判別処理部８は、その旨をフィルタ切り替え処理部９に通知する。
【００２５】
フィルタ切り替え処理部９は、全てのチャンネルで受信地域の判別が終了した旨の通知を受けると、フィルタ選択処理を行う（ステップＳＴ１１）。ここで、フィルタ切り替え処理部９は、受信地域判別処理部８によって各チャンネルの受信で判別された受信地域と、復調部５から取得した各チャンネルでの受信状態とに基づいて、受信系統１，２に設定するフィルタを決定する。フィルタ切り替え処理部９は、受信系統１，２のフィルタを、ステップＳＴ１１で決定したフィルタに切り替える（ステップＳＴ１２）。
例えば、複数の受信地域が取得された場合は、その判別がなされたチャンネルでの受信状態を示すパラメータの平均値を算出して、各チャンネルのうち、最も良好な受信状態を示す平均値に対応する受信地域を特定し、この受信地域に応じたフィルタをフィルタＡ，Ｂから選択する。また、最良の受信状態を示した受信地域、または、最も多く判別された受信地域に応じたフィルタをフィルタＡ，Ｂから選択してもよい。
なお、移動体用放送受信装置の起動時には、受信地域判別側の受信系統が、最初に判別した受信地域を用いて、フィルタ選択処理を行ってもよい。また、ユーザ操作により指定されたフィルタを選択してもよい。
【００２６】
図４において、画音再生側の受信系統２では、ユーザ操作などによって、ユーザが所望する受信チャンネルが選択される（ステップＳＴ１３ａ）。この状態で受信処理が行われ（ステップＳＴ１４ａ）、デジタルＴＶの画音が再生される（ステップＳＴ１５ａ）。
この後、フィルタ切り替え処理部９は、受信地域判別処理部８による判別処理結果の受信地域に対応するフィルタが、現在選択中のフィルタと異なるか否かを判定する（ステップＳＴ１５ａ−１）。判別処理結果と現在選択中のフィルタが同じであれば（ステップＳＴ１５ａ−１；ＮＯ）、ステップＳＴ１５ａに戻って画音の再生を継続する。
【００２７】
判別処理結果と現在選択中のフィルタが異なる場合（ステップＳＴ１５ａ−１；ＹＥＳ）、フィルタ切り替え処理部９は、受信系統２における受信状態の悪化が検出されたか、またはＡＶデコーダ６でデコードエラーが検出されたかを判定する（ステップＳＴ１６ａ）。なお、復調部５から取得したＢＥＲまたはＰＥＲが閾値を超えた場合、ＣＮに悪化状態が検出された場合、受信電力が低下した場合に、受信状態の悪化が検出されたものとする。
【００２８】
受信状態の悪化が検出されたか、または、デコードエラーが検出された場合（ステップＳＴ１６ａ；ＹＥＳ）、フィルタ切り替え処理部９は、画音再生側の受信系統２のスイッチ部２ｂ，３ｂを制御して、現在のフィルタからもう一方のフィルタに切り替えを行う（ステップＳＴ１７ａ）。この後、ステップＳＴ１５ａに戻り、画音再生を継続する。
フィルタの切り替え時には、受信系統の受信性能が不可避的に劣化する。そこで、上述のように、受信状態の悪化が検出されたか、または、ＡＶデコーダ６でデコードエラーが検出されたタイミングでフィルタ切り替えを行うことにより、オーディオ出力が途切れるもしくはビデオ出力にブロックノイズが発生するタイミングと同期してフィルタ切り替えを行うことができ、受信性能の劣化をユーザに意識させずにフィルタ切り替えを行うことができる。なお、受信状態の悪化が検出されず、かつデコードエラーも検出されなければ（ステップＳＴ１６ａ；ＮＯ）、ステップＳＴ１５ａに戻り、画音再生を継続する。
【００２９】
一方、受信地域判別側の受信系統１では、画音は再生せず、受信地域の判別が継続して実施される。ステップＳＴ１３ｂにおいて、次に受信地域の判別を行う受信チャンネルに変更されると、ステップＳＴ１４ｂからステップＳＴ１８ｂまでの受信地域の判別処理が実施される。なお、ステップＳＴ１４ｂ、ステップＳＴ１５ｂからステップＳＴ１８ｂまでは、図３のステップＳＴ３、ステップＳＴ６からステップＳＴ９までの処理と同様である。ステップＳＴ１４ｂ−１において、フィルタ切り替え処理部９が、受信地域判別側の受信系統のチューナ部（ここでは、受信系統１のチューナ部４ａ）から、現在の受信電力を取得する。
【００３０】
受信系統１でフィルタＡ１が選択されていたとしても、図２（ｂ）に示した国Ｘにおいては、デジタルＴＶの使用周波数帯域の高周波成分（ここでは、７９０ＭＨｚ近傍）は、図２（ａ）に符号ａを示した周波数帯域であり、フィルタＡ１の減衰帯域となる。
この場合、減衰帯域（７９０ＭＨｚ）以上のチャンネルでは、受信地域を判別することができないため、フィルタＢ１に切り替える必要がある。
そこで、ステップＳＴ１９ｂで、フィルタ切り替え処理部９が、受信系統１において、フィルタＢ１を選択したか否かを判定する。
【００３１】
フィルタＢ１が選択されていない場合（ステップＳＴ１９ｂ；ＮＯ）、フィルタ切り替え処理部９は、受信地域判別処理部８が受信地域の判別を行うチャンネルが７９０ＭＨｚより大きく８６２ＭＨｚ未満であるか否かを判定する（ステップＳＴ２０ｂ）。
受信地域の判別を行うチャンネルが７９０ＭＨｚより大きく８６２ＭＨｚ未満であれば（ステップＳＴ２０ｂ；ＹＥＳ）、フィルタ切り替え処理部９は、受信地域判別側の受信系統１のフィルタをフィルタＢ１に切り替える（ステップＳＴ２１ｂ）。
なお、受信地域判別側の受信系統１のフィルタを切り替える際には、全てのチャンネルの処理終了状態をクリアし、再度、全てのチャンネルで受信地域の判別を実行する。
【００３２】
また、受信地域の判別を行うチャンネルが７９０ＭＨｚより大きく８６２ＭＨｚ未満でなければ（ステップＳＴ２０ｂ；ＮＯ）、ステップＳＴ１３ｂの処理に戻る。
フィルタＢ１が選択されている場合（ステップＳＴ１９ｂ；ＹＥＳ）、ステップＳＴ２２ｂからステップＳＴ２４ｂまでの処理が実施される。なお、ステップＳＴ２２ｂからステップＳＴ２４ｂまでの処理は、図３のステップＳＴ１０からステップＳＴ１２までと同様である。
受信地域判別側の受信系統１の受信処理を基に実施された受信地域の判別結果は、全ての受信系統に適応される。また、フィルタ切り替え処理は、受信地域判別側の受信系統１の受信処理を基に常に更新される受信地域の判別結果に応じて実施される。
【００３３】
なお、国境付近においては、複数の受信地域が判別されることによる誤判定を招く恐れがある。そこで、図４のステップＳＴ１７ｂの受信地域の判別を、図５に示すように処理することで、受信地域の判別精度を向上させることができる。
まず、フィルタ切り替え処理部９は、フィルタＡを選択している場合、受信地域判別側の受信系統の受信チャンネルの周波数が携帯電話の周波数帯域（８８０〜８９０ＭＨｚ；アップリンク）であるか否かを判定し、フィルタＢを選択している場合には、上記受信チャンネルの周波数が携帯電話の周波数帯域（８３２〜８６２ＭＨｚ；アップリンク）であるか否かを判定する（ステップＳＴ１ｃ）。
【００３４】
受信チャンネルの周波数が携帯電話の周波数帯域である場合（ステップＳＴ１ｃ；ＹＥＳ）、フィルタ切り替え処理部９は、ステップＳＴ１４ｂ−１で取得した受信電力の値が所定の閾値以上であるか否かを判定する（ステップＳＴ２ｃ）。
受信電力の値が上記閾値以上、すなわち、携帯電話の周波数帯域で十分な受信電力がある場合（ステップＳＴ２ｃ；ＹＥＳ）、フィルタ切り替え処理部９は、ステップＳＴ１５ｂで取得した受信状態を示す情報の１つであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）フレームロック信号に基づいて、ＯＦＤＭフレームロックがあるか否か、またはステップＳＴ１５ｂで放送データからＳＩおよびＰＳＩが取得可能であるか否かを確認する（ステップＳＴ３ｃ）。
【００３５】
ＯＦＤＭフレームロックがない、または、ＳＩおよびＰＳＩが取得できない場合（ステップＳＴ３ｃ；ＮＯ）、フィルタ切り替え処理部９は、受信地域判別側の受信系統の受信チャンネルとして選局している周波数が携帯電話に使用されていると判定し、判定結果を受信地域判別処理部８へ通知する。この通知を受けると、受信地域判別処理部８は、この携帯電話の周波数帯域に対応する地域を受信地域として判別する（ステップＳＴ４ｃ）。
例えば、フィルタＡを選択しているときに、選局周波数の周波数帯域である８８０〜８９０ＭＨｚに十分な受信電力はあるが、ＯＦＤＭフレームロックがない、または、ＳＩおよびＰＳＩが取得できない場合、受信地域が、図２（ｂ）に示す国Ｙであると判別される。また、フィルタＢを選択しているときに、選局周波数の周波数帯域８３２〜８６２ＭＨｚに十分な受信電力はあるが、ＯＦＤＭフレームロックがない、または、ＳＩおよびＰＳＩが取得できない場合、受信地域が、図２（ｂ）に示す国Ｘであると判別される。
【００３６】
受信地域判別側の受信系統の受信チャンネルの周波数が携帯電話の周波数帯域ではない場合（ステップＳＴ１ｃ；ＮＯ）、または、受信電力の値が上記閾値未満、すなわち、携帯電話の周波数帯で十分な受信電力がない場合（ステップＳＴ２ｃ；ＮＯ）、あるいは、ＯＦＤＭフレームロックがあり、かつ、ＳＩおよびＰＳＩが取得できる場合（ステップＳＴ３ｃ；ＹＥＳ）、フィルタ切り替え処理部９は、その旨を受信地域判別処理部８へ通知する。この通知を受けると、受信地域判別処理部８は、図３のステップＳＴ７と同様に、ＳＩおよびＰＳＩから受信地域を判別する（ステップＳＴ５ｃ）。
【００３７】
なお、上述までの説明では、携帯電話のアップリンクの周波数帯域の受信電力に応じて受信地域を判別したが、図２（ｂ）に示すダウンリンクの周波数帯域を用いても判別可能である。
【００３８】
上述までの説明では、受信地域判別側の受信系統１では画音再生を実施しない場合を示したが、任意の期間のみ判別を行い、その他の期間においては、受信系統１を復調部５でのダイバー受信に使用したり、受信系統２とは異なるチャンネルの画音再生に使用してもよい（２サービス再生）。
【００３９】
また、上述までの説明では、受信系統が複数ある場合を例に挙げたが、受信系統が１つであってもよい。例えば、受信地域判別を行う期間（装置起動時、チャンネル変更時など）をあらかじめ設定しておき、その他の期間で画音再生を行うようにする。このようにすることで、装置構成を簡略化することができる。
【００４０】
さらに、上述した処理の他に、受信地域判別処理部８は、外部インタフェースを介したユーザ操作によって指定された地域を受信地域として判別してもよい。例えば、入力装置（図１において不図示）を用いたユーザ操作により地域を指定し、このユーザ操作を外部インタフェースで受け付けて外部入力信号として受信地域判別処理部８へ出力する。受信地域判別処理部８は、この外部入力信号で指定された地域を受信地域とする。このようにすることで、ユーザが指定した地域についても受信地域として判別できる。
【００４１】
以上のように、この実施の形態１によれば、受信地域ごとの放送周波数帯域で妨害波となり得る周波数帯域の信号を除去するフィルタＡ，Ｂ、フィルタＡまたはＢを通過した受信信号から選局周波数の信号を抽出するチューナ部４ａ（または４ｂ）およびフィルタＡ，Ｂのいずれかを受信信号の伝送経路上に切り替えるスイッチ部２ａ，３ａ（または２ｂ，３ｂ）を有して構成される受信系統１（または２）と、受信信号を復調して再生した放送データに含まれる放送局が存在する地域に関する付加データに基づいて、受信系統１（または２）が放送を受信している受信地域を判別する受信地域判別処理部８と、スイッチ部２ａ，３ａ（または２ｂ，３ｂ）を制御して、受信地域判別処理部８が判別した受信地域の放送周波数帯域で妨害波となり得る信号を除去するフィルタに切り替えるフィルタ切り替え処理部９とを備える。
このように構成することで、放送の受信を阻害せず、受信地域の放送周波数帯域で妨害波となり得る周波数帯域の信号を適切に除去することができる。
【００４２】
また、この実施の形態１によれば、付加データが放送データ含まれるＰＳＩおよびＳＩであるので、放送局が存在する地域に関する情報を的確に取得することができる。
【００４３】
さらに、この実施の形態１によれば、受信系統を複数有し、複数の受信系統のうち、少なくとも１つの受信系統で受信地域の判別を行うための受信処理を行い、残りの受信系統で放送コンテンツを再生するための受信処理を行う。このようにすることで、車両の移動によって受信地域が変化しても、いずれかの受信系統の受信処理を基に受信地域の判別が実施され、この判別結果から現在の受信地域に応じた適切なフィルタを選択することが可能である。
【００４４】
さらに、この実施の形態１によれば、フィルタ切り替え処理部９が、受信系統による受信状態の悪化が検出された場合または放送データにエラーが検出された場合に、スイッチ部２ａ，３ａ（または２ｂ，３ｂ）を制御してフィルタの切り替えを行うので、受信性能の劣化をユーザに意識させずにフィルタ切り替えを行うことができる。
【００４５】
さらに、この実施の形態１によれば、受信地域判別処理部８が、付加データに加えて、位置情報取得部１１が取得した車両の位置情報および撮像部１０が撮影した車両の周辺画像を解析した結果のうちの少なくとも一方に基づいて、受信系統が放送を受信している受信地域を判別するので、受信地域の判別をさらに高精度に行うことが可能となる。
【００４６】
さらに、この実施の形態１によれば、受信地域判別処理部８が、外部インタフェースで受け付けたユーザ操作で指定された地域を受信地域として判別するので、ユーザが指定した地域についても受信地域として判別できる。
【００４７】
さらに、この実施の形態１によれば、受信地域判別処理部８が、所定の地域の放送周波数帯域で妨害波となり得る周波数帯域の周波数を受信系統が選局しており、この周波数帯域に対応するフィルタが選択されている場合において、受信系統の受信電力が所定の閾値以上であって、ＯＦＤＭフレームロックがない、または、放送データからＳＩおよびＰＳＩが取得できなければ、当該周波数帯域に対応する所定の地域を受信地域として判別するので、受信地域の判別精度を向上させることができる。
【００４８】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４９】
この発明に係る移動体用放送受信装置は、放送の受信を阻害せずに、受信地域の放送周波数帯域で妨害波となり得る周波数帯域の信号を適切に除去することができるので、例えば、車両の走行により様々な受信地域に移動する車載用放送受信装置に好適である。
【符号の説明】
【００５０】
１ａ，１ｂ  アンテナ、２ａ，２ｂ，３ａ，３，６２ｂ  スイッチ部、４ａ，４ｂ  チューナ部、５  復調部、６  ＡＶデコーダ、７  マイコン、８  受信地域判別処理部、９  フィルタ切り替え処理部、１０  撮像部、１１  位置情報取得部、６０ａ，６０ｂ  デマルチプレクサ部、６１ａ，６１ｂ  デコード部。
【図１】
0005717934.tif 000002
【図２】
0005717934.tif 000003
【図３】
0005717934.tif 000004
【図４】
0005717934.tif 000005
【図５】
0005717934.tif 000006